(57)【要約】【課題】電極針の先端位置の調節や電極針の本数の変更を容易に行うことができる機構を備えた除電器を提供する。【解決手段】電極針組立体４ａは、ファン３の外周部に固定配置されるベース部材４３と、ベース部材４３内に配置されるとともに電極針４１、４２を保持可能に構成される保持部材４４と、保持部材４４をベース部材４３に対して押付けて固定する固定部材４５とを有する。【選択図】図２
2010027292.tif 000002
【特許請求の範囲】
【請求項１】
筺体と、コロナ放電によりイオンを生成するための少なくとも１つの電極針を備え、前記筺体内に配置された電極針組立体と、前記電極針により生成されたイオンを運搬する気流を生成する送風部と、前記少なくとも１つの電極針に電圧を印加するための電源とを有し、
前記電極針組立体は、少なくとも１つの電極針と、
前記少なくとも１つの電極針を挿通可能な電極針挿通孔を有し、該筺体に固定配置される絶縁材料からなるベース部と、
前記ベース部に設けられて前記電源に電気的に接続されるとともに、前記少なくとも１つの電極針の各々の先端が所定位置に位置決めされるように、前記ベース部材の電極針挿通孔に挿通された電極針の各々を保持する保持部と、
を有する除電器。
【請求項２】
前記保持部は、前記ベース部材の電極針挿通孔に挿通された電極針の各々を受容可能な電極針受容孔を有する、導電性材料からなる保持部材と、前記電極針受容孔に挿入された前記少なくとも１つの電極針を前記保持部材に対して固定する固定部材とを有する、請求項１に記載の除電器。
【請求項３】
前記保持部は、互いに弾性変位可能な導電性材料からなる２つの板状部材を備え、前記ベース部材の電極針挿通孔に挿通された電極針の各々を前記２つの板状部材間に挟持する保持部材と、前記２つの板状部材間に挟持された前記少なくとも１つの電極針を前記保持部材に対して固定する固定部材とを有する、請求項１に記載の除電器。
【請求項４】
前記保持部は、前記ベース部材の電極針挿通孔に挿通された電極針をその長手方向に付勢する、導電性材料からなる付勢部材と、前記付勢部材による付勢方向と反対の方向に前記少なくとも１つの電極針を変位させる調節部材とを有する、請求項１に記載の除電器。
【請求項５】
前記保持部は、互いに対向しかつ互いに対して弾性変位可能な２つの導電性材料からなる凸面を備え、前記ベース部材の電極針挿通孔に挿通された電極針の各々を前記２つの凸面間に把持する把持部材を備える、請求項１に記載の除電器。
【請求項６】
前記２つの凸面により前記少なくとも１つの電極針の各々に作用する把持力は、外力が作用しなければ前記少なくとも１つの電極針の各々を不動に保持するが、作業者が意図的に前記少なくとも１つの電極針をその長手方向に移動させることは許容するような大きさに設定される、請求項５に記載の除電器。
【発明の詳細な説明】
【技術分野】
【０００１】
本発明は、電極針を備えた送風式の除電器に関する。
【背景技術】
【０００２】
コロナ放電によりプラスとマイナスのイオンを同時に発生させ、生じたイオンをファンによる送風とともに対象物に向けて搬送して帯電した静電気を中和する、いわゆる送風式除電器は種々のものが開発されている。このような送風式除電器は、半導体部品や電子機器等の組立工程において、当該部品等に帯電した静電気の放電による部品等の破壊を防ぐ目的で使用されている。この種の除電器は、コロナ放電によってイオンを発生させるための電極針（放電針）を有する。例えば直流除電器を開示する特許文献１には、「電極針５が電極ホルダ１に貫通固着され、各放電針５の先端は電極ホルダ１のリング中心に指向し、電極針５の基端部は、電極ホルダ１の外周面に設けられた円形凹部６の中心に僅かに突出している」と記載されている。
【０００３】
また除電器を開示する特許文献２には、「各除電電極１１・１２は、ファンケース５の電極取付孔１０に挿着されている」と記載され、さらに「第３図に示すように鍔１３及び接続孔１４を有する絶縁体１５に電極針１６を植設した」と記載されている。
【０００４】
【特許文献１】特開２００１−１１０５９０号公報
【特許文献２】特公平６−５６７９７号公報
【発明の開示】
【発明が解決しようとする課題】
【０００５】
従来の除電器では、電極針は筺体に固定されており、故に各電極針の先端の位置調節を行うためには、一度電極針を取り外す等の作業が必要となり面倒であった。また近年、イオンの生成量を増減できる除電器が望まれており、このためには電極針に印加する電圧を変化させるか、電極針の本数を変更することが有効である。しかし該電圧を増加させると電極針の先端に汚れ等が付着しやすく、一方電極針の本数の増減を従来の除電器で行うことは非常に面倒であった。
【０００６】
そこで本発明は、電極針の本数の変更や電極針の先端位置の調節を容易に行うことができる機構を備えた除電器を提供する。
【課題を解決するための手段】
【０００７】
上記目的を達成するために、本発明の一態様によれば、筺体と、コロナ放電によりイオンを生成するための少なくとも１つの電極針を備え、前記筺体内に配置された電極針組立体と、前記電極針により生成されたイオンを運搬する気流を生成する送風部と、前記少なくとも１つの電極針に電圧を印加するための電源とを有し、前記電極針組立体は、少なくとも１つの電極針と、前記少なくとも１つの電極針を挿通可能な電極針挿通孔を有し、該筺体に固定配置される絶縁材料からなるベース部と、前記ベース部に設けられて前記電源に電気的に接続されるとともに、前記少なくとも１つの電極針の各々の先端が所定位置に位置決めされるように、前記ベース部材の電極針挿通孔に挿通された電極針の各々を保持する保持部と、を有する除電器が提供される。
【発明の効果】
【０００８】
本発明によれば、除電器の各電極針の先端位置を容易に調節することが可能となり、また電極針の本数の変更も容易に行えるようになる。
【発明を実施するための最良の形態】
【０００９】
図１は、本発明に係る除電器の第１の実施形態を示す上面図である。なお本実施形態では、直流型の除電器を例として本発明を説明する。除電器１は、筺体２と、筺体２の内部に配置された送風部すなわちファン３と、コロナ放電によりイオンを発生させるための電極針組立体４ａ〜４ｄと、電極針組立体４ａ〜４ｄに高電圧を送出する高電圧電源５ａ、５ｂとを有する。また電極針組立体４ａ〜４ｄはそれぞれ、並列配置された２本の電極針４１ａ及び４２ａ、４１ｂ及び４２ｂ、４１ｃ及び４２ｃ並びに４１ｄ及び４２ｄを有する。なお図示例では各電極針組立体が２つの電極針を有するが、各電極針組立体が１つ又は３つ以上の電極針を有する構成とすることももちろん可能である。
【００１０】
除電器１はさらに、電極針組立体４ａ〜４ｄとの間でコロナ放電を発生させる対向電極（図示せず）を有する。対の電極針組立体（図示例では電極針組立体４ａと４ｃ、及び４ｂと４ｄ）は互いに対向する位置に配置され、一方の対の電極針組立体（４ａと４ｃ）はプラスの高電圧電源５ａに電気的に接続され、他方の対の電極針組立体（４ｂと４ｄ）はマイナスの高電圧電源５ｂに電気的に接続される。これら高電圧電源からの印加電圧により、電極針と対向電極との間にコロナ放電が生じる。また対向電極は、筺体２を介して接地されている。このコロナ放電により空気イオンが生成され、生成された空気イオンはファン３により生じる気流とともに、除電すべき図示しない対象物に向けて運搬される。
【００１１】
除電器１はさらに、各電極針の清掃を行うクリーニング機構６を有してもよい。クリーニング機構６は、ファン３の回転軸と同軸に回転可能に構成された回転部材６１と、回転部材６１に放射状に取り付けられた複数の（図示例では４つ）のロッド６２ａ〜６２ｄと、各ロッドの先端部に取り付けられたクリーニング部６３ａ〜６３ｄとを有する。各クリーニング部は、回転部材６１の回転によって対応する電極針に一方向又は双方向から当接可能に構成されており、これにより対応する電極針を清掃することができる。なおクリーニング部としては、ブラシ又は研磨フィルムが使用可能であり、また好適な研磨フィルムとしては、住友スリーエム社から市販されている「ラッピングフィルムシート」等がある。
【００１２】
クリーニング機構６の回転部材６１の駆動はアクチュエータ６４によって行われ、図示された実施形態ではアクチュエータ６４として電磁ソレノイドが使用されている。電磁ソレノイド以外のアクチュエータとしては、油圧式アクチュエータや、形状記憶合金を有し、入力電流により生じるジュール熱を利用するアクチュエータも使用可能である。図示された実施形態では、電磁ソレノイド６４は図示しない制御回路からの電気的信号等によって制御される。また、駆動源としてはステッピングモータ等の他の公知の手段を使用してもよい。
【００１３】
図示例では、アクチュエータすなわち電磁ソレノイド６４は、ファン３の周辺部すなわち送風方向に関してファン３の側方に配置される。また電磁ソレノイド６４の動力は、連結手段６５によって回転部材６１に伝達される。なお連結手段６５は公知のベルト、チェーン、ワイヤ又はクランク機構等が使用可能である。単純な構造の平ベルトやワイヤを使用すると、除電器の製造コストや軽量化の観点から有利である。また各クリーニング部は各電極針に対して高い位置決め精度を必要としないことから、若干のスベリが生じ得る平ベルトやワイヤでも特段問題はない。
【００１４】
次に、各電極針組立体の詳細な構造をいくつかの好適な実施形態とともに説明する。なお以降の説明は電極針組立体４ａについて行うが、他の電極針組立体４ｂ〜４ｄについても電極針組立体４ａと同様の構成とすることができる。
【００１５】
図２（ａ）及び（ｂ）は、電極針組立体４ａの第１の実施形態を示す。同図及び図１に示すように、電極針組立体４ａは、筺体２上であってファン３の外周部に固定配置される電極針用ベース部すなわちベース部材４３と、ベース部材４３内に配置されるとともに電極針４１、４２を保持可能に構成される電極針用保持部例えば保持部材４４と、保持部材４４をベース部材４３に対して固定する固定部材４５とを有し、保持部材４４及び固定部材４５は協働して電極針用の保持部を構成する。
【００１６】
ベース部材４３は、ＡＢＳ樹脂又はＰＰ樹脂等の絶縁材料から作製され、電極針４１、４２をそれぞれ挿通可能な電極針挿通孔４３１、４３２を側面に有し、さらに保持部材４４を挿入可能な保持部材挿入孔４３３を端面に有する。保持部材挿入孔４３３は、電極針挿通孔とは異なる方向に延び（図示例では垂直）、各電極針挿通孔と保持部材挿入孔とは、ベース部材４３の内部で連通している。一方保持部材４４は、金属等の導電性材料から作製され、ベース部材４３内に配置されたときに電極針４１、４２をそれぞれ受容可能な電極針受容孔４４１、４４２を有する。また保持部材４４には電線４６の一端が接続され、電線４６の他端は上述の高電圧電源５ａに接続される。従って高電圧電源５ａからの電圧は、保持部材４４を介して各電極針に印加可能である。ベース部材の電極針挿通孔及び保持部材の電極針受容孔の個数は適宜変更可能であり（例えばそれぞれ３つ以上）、その個数を上限として電極針組立体に取付けられる電極針の個数を自由に選択できるようになる。
【００１７】
固定部材４５は例えば固定用ネジであり、該固定用ネジは、ベース部材４３の上部に形成されかつ保持部材挿入孔４３３とベース部材内で連通するネジ挿通孔４３４を通って、電極針を保持している保持部材４４をベース部材４３の内面に押し付けることができる。ここで図３（ａ）に示すように、保持部材挿入孔４３３は上下方向（固定用ネジ４５の挿入方向）に長軸を有する楕円又は該方向に引き伸ばされたトラック形状を有する。すなわち、電極針が延出する方向と直交する方向において、保持部材挿入孔４３３の大きさが保持部材４４の大きさより大きく構成されている。一方各電極針はベース部材４３を貫通している。このような構成によれば、電極針４１、４２を受容した保持部材４４をベース部材４３に押し付けることにより、複数の電極針をベース部材に対して一括して固定することができる。保持部材挿入孔４３３の大きさや位置は、保持部材４４が保持部材挿入孔４３３の最下部まで押し付けられたときに、電極針４１、４２が電極針挿入孔４３３の内面と保持部材４４の電極針受容孔４４１、４４２の内面とに当接して電極針が保持されるように設定されている。逆に図３（ｂ）に示すように固定用ネジ４５を緩めれば、各電極針（電極針４１のみ図示）の先端の長手方向位置を同時かつ個別に調節することができる。またベース部材の電極針挿通孔及び保持部材の電極針受容孔の個数を複数としておくことにより、その個数を上限として、使用する電極針の本数の増減も容易に行うことができる。
【００１８】
なお図３の例では電極針がその長手方向にベース部材４３を貫通しているが、ベース部材の電極針末端側の壁部４３５（図３（ａ）参照）内に電極針末端部が留まる構成としてもよい。また固定ネジはどのような材料から作製されてもよいが、セラミックや樹脂等の絶縁材料から作製されることが好ましい。
【００１９】
保持部材４４は図示したような円柱形状のものに限られず、例えば角柱形状を有してもよい。またベース部材の電極針挿通孔及び保持部材の電極針受容孔は、横方向に延びる長孔として形成すれば、使用する電極針の本数に応じて複数形成する必要はない。
【００２０】
図４（ａ）及び（ｂ）は、第２の実施形態に係る電極針組立体１００４ａを示す。第２の実施形態と第１の実施形態との主たる相違点は、保持部材として板バネを使用することである。電極針組立体１００４ａは、筺体２上であってファン３の外周部に固定配置される電極針用ベース部すなわちベース部材１０４３と、ベース部材１０４３内に配置されるとともに電極針１０４１、１０４２を保持可能に構成される電極針用保持部例えば保持部材１０４４と、保持部材１０４４をベース部材１０４３に対して固定する固定部材１０４５とを有し、保持部材１０４４及び固定部材１０４５は協働して電極針用の保持部を構成する。
【００２１】
ベース部材１０４３は、ＡＢＳ樹脂又はＰＰ樹脂等の絶縁材料から作製され、電極針１０４１、１０４２をそれぞれ挿通可能な電極針挿通孔１４３１、１４３２と、保持部材１０４４を挿入可能な保持部材挿入孔１４３３とを有する。保持部材挿入孔１４３３は、電極針挿通孔とは異なる方向に延び（図示例では垂直）、各電極針挿通孔と保持部材挿入孔とは、ベース部材１０４３の内部で連通している。また保持部材１０４４には電線１０４６の一端が接続され、電線１０４６の他端は上述の高電圧電源５ａに接続される。従って高電圧電源５ａからの電圧は、保持部材１０４４を介して各電極針に印加可能である。
【００２２】
保持部材１０４４は、連結部１４４３を介して互いに接離可能に弾性連結された第１及び第２の板状部材１４４１及び１４４２を有し、全体として板バネ形状を有し、例えば金属板の打ち抜き、曲げ加工等により作製可能である。保持部材１０４４は、ベース部材の電極針挿通孔に挿通された各電極針を上記２つの板状部材間に挟持できるように構成される。好ましくは、各電極針の挿入を容易にしかつ位置決め精度を向上させるために、板状部材の少なくとも一方（図示例では第２板状部材１４４２のみ）は、電極針１０４１及び１０４２をそれぞれ受容するための受容溝１４４４及び１４４５を有する。またベース部材１０４３の保持部材挿入孔１４３３は、挿入される板バネ１０４４の形状に応じた形状（図示例では矩形）に形成される。ここで板バネ１０４４に挿入された電極針にバネ力が作用するように構成すると、そのバネ力を利用して、電極針を板バネの間で軽く保持することができ、組立や調整の作業性が向上する。
【００２３】
固定部材１０４５は例えば固定用ネジであり、該固定用ネジは、ベース部材１０４３の上部に形成されかつ保持部材挿入孔１４３３とベース部材内で連通するネジ挿通孔１４３４を通って、電極針を保持している保持部材１０４４をベース部材１０４３に押し付けることができる。このような構成によっても、第１の実施形態と同様の操作により、各電極針の先端位置を個別かつ容易に調整することができる。なお板バネ１０４４自体が各電極針を適切な力で把持できるように構成されていれば、固定用ネジ１０４５を省略することも可能である。
【００２４】
上述の第１及び第２の実施形態については、電極針の位置決めをするためのストッパを、電極針の放電部位（先端）とは反対側の端部と対向する位置に配置することができる。このストッパは、電極針に当接して電極針を所望の位置よりも後退させないようにするための壁面として形成可能であり、例えばベース部材に形成される保持部材挿入孔の内面であってもよいし、ベース部材の外側に別体もしくは一体的に設けられる部材であってもよい。
【００２５】
図５（ａ）及び（ｂ）は、第３の実施形態に係る電極針組立体２００４ａを示す。電極針組立体２００４ａは、筺体２上であってファン３の外周部に固定配置される電極針用ベース部すなわちベース部材２０４３と、ベース部材２０４３内に配置されるとともに電極針２０４１、２０４２をその長手方向に付勢するように構成された電極針付勢部材２０４４と、電極針の先端位置を所定位置に調節するための調節部材２０４５とを有する。なお本実施形態では、電極針２０４１及び２０４２は接続部２０４７を介して実質一体物に形成され、全体としてコの字又はＵ字の形状を有する。
【００２６】
ベース部材２０４３は、ＡＢＳ樹脂又はＰＰ樹脂等の絶縁材料から作製され、電極針２０４１、２０４２をそれぞれ挿通可能な電極針挿通孔２４３１、２４３２と、付勢部材２０４４を挿入可能な付勢部材挿入孔２４３３とを有する。付勢部材挿入孔２４３３は、電極針挿通孔とは異なる方向に延び（図示例では垂直）、各電極針挿通孔と付勢部材挿入孔とは、ベース部材２０４３の内部で連通している。また本実施形態では、上述の第１及び第２の実施形態とは電極針の挿通方向が逆になるので、ベース部材２０４３は、電極針挿通孔の反対側に開口部（図示例では溝）２４３５を有する。
【００２７】
一方付勢部材２０４４は、金属等の導電性材料から作製され、弾性を備えるべく曲面を有する第１板状部材２４４１と、第１板状部材２４４１の凹面側に対向配置された実質剛体の第２板状部材２４４２とを有する。第１板状部材２４４１は略矩形形状を有し、第２板状部材２４４２は第１板状部材よりやや大きい矩形形状を有するが、これらの形状に限られるものではない。第１板状部材２４４１の長辺方向の一端２４４３は第２板状部材２４４２に固定されており、長辺方向の他端２４４４は自由端となっているため、付勢部材２０４４は全体として板バネを形成する。また第１板状部材２４４１には電線２０４６の一端が接続され、電線２０４６の他端は上述の高電圧電源５ａに接続される。従って高電圧電源５ａからの電圧は、付勢部材２０４４を介して各電極針に印加可能である。
【００２８】
図５（ｂ）に示すように、各電極針がベース部材２０４３の電極針挿通孔に挿通されかつ付勢部材２０４４がベース部材２０４３の付勢部材挿入孔２４３３に挿入された状態では、電極針の接続部２０４７が第１板状部材２４４１に当接するとともに電極針の先端側に付勢されている。そこで、調節部材例えば調節用ネジ２０４５を、ベース部材の電極針挿通孔２４３１と電極針挿通孔２４３２との間に形成されたネジ挿通孔２４３４（図５（ａ）参照）から挿通して、接続部２０４７を板バネによる付勢力に逆らって付勢方向と反対方向に押圧し変位させることにより、電極針の先端の長手方向位置を調節することができる。従って本実施形態では、付勢部材及び調節部材が協働して、電極針を所定位置に保持する保持部を構成する。
【００２９】
第３の実施形態における電極針の本数の変更は、電極針組立体を、異なる本数の電極針がベース部材に設けられたものと交換することにより行うことができる。本実施形態では、複数の電極針の位置が予め規定されているので、電極針同士の位置調整が不要で組立・調整作業が容易である。但し、１つの電極針組立体に対して１つの電極針を設けてもよい。
【００３０】
図６（ａ）及び（ｂ）は、第４の実施形態に係る電極針組立体３００４ａを示す。図６（ａ）に示すように、電極針組立体３００４ａは、筺体２上であってファン３の外周部に固定配置される電極針用ベース部すなわちベース部材３０４３と、ベース部材３０４３内に固定配置されるとともに電極針３０４１、３０４２をそれぞれ保持可能に構成される電極針用保持部すなわち保持部材３４４１、３４４２とを有する。ベース部材３０４３は、ＡＢＳ樹脂又はＰＰ樹脂等の絶縁材料から作製され、電極針３０４１、３０４２をそれぞれ挿通可能な電極針挿通孔３４３１、３４３２と、保持部材３４４１、３４４２をそれぞれ収容可能な保持部材収容部３４３３、３４３４とを有する。各電極針挿通孔と各保持部材挿入孔とは、ベース部材３０４３の内部で連通している。各保持部材収容部は、各保持部材の外形に略等しい寸法を有しかつ上方に向かって開口しているので、上方から収容部内に収容された保持部材は、ベース部材内にがたつきなく配置される。またベース部材３０４３は、開口している保持部材収容部を閉鎖するための蓋部材３４３５を有する。
【００３１】
一方保持部材３４４１、３４４２は、金属等の導電性材料から作製され、ベース部材３０４３内に配置されたときに電極針３０４１、３０４２をそれぞれ把持可能な電極針把持部３４４３、３４４４をそれぞれ有する。電極針把持部３４４３、３４４４は、電極針３０４１、３０４２がそれぞれ電極挿通孔３４３１、３４３２内に挿通されたときに、各電極針を適切な把持力で保持するように構成され、例えば互いに対向しかつ互いに対して弾性変位可能な凸面３４４６、３４４７をそれぞれ備える。図示例の両保持部材は側面視で略矩形形状を有し、電極針把持部は、保持部材がベース部材内に配置されたときに電極針挿通孔３４３１、３４３２に面する該矩形の一辺に形成される。また両保持部材は、電極針把持部が形成された一辺と対向する辺において、導電性材料からなる連結部材３４４５により互いに連結されている。また図６（ｂ）に示すように、保持部材の少なくとも一方（図示例では保持部材３４４１）には電線３０４６の一端が接続され、電線３０４６の他端は上述の高電圧電源５ａに接続される。従って高電圧電源５ａからの電圧は、保持部材を介して各電極針に印加可能である。
【００３２】
電極針把持部３４４３、３４４４の凸面３４４６、３４４７が生じる把持力は、外力が作用しなければ電極針を不動に保持するが、作業者が意図的に電極針をその長手方向に移動させることは許容するような大きさに設定される。従って本実施形態では、上述の固定ネジや調節ネジを使用しなくても、各電極針の先端位置を容易かつ独立に調節することが可能である。但し、電極針の固定を確実にするために、各電極針を固定するための固定ネジ等をさらに設けてもよい。また図示例の保持部材は側面から見たときに略矩形を呈しているが、円形（Ｃ字形状）やＵ字形状としてもよい。
【００３３】
なお各電極針は組立時（図６（ｂ））においてベース部材３０４３を貫通する必要はないが、電極針の先端がばたつく（例えば先端位置が上下に変動する）ことを防止するために、図６（ａ）に示すように、電極針挿通孔３４４１、３４４２が形成されているベース部材３０４３の反対側の側部であって電極針挿通孔３４４１、３４４２に挿通された電極針が当接する箇所に、電極針挿通孔３４４１′、３４４２′が形成されることが好ましい。
【００３４】
上述の各実施形態は直流型の除電器を例に説明したが、交流型の除電器においても本発明を同様に実施することができる。交流型の除電器では、必ずしも電極針を対向した位置に配置する必要性はなく、例えば電極針は１つでもよい。また、全ての電極針は、１つの交流電源に電気的に接続可能であり、電極針と対向して配置される対向電極との間でコロナ放電が行われる。
【図面の簡単な説明】
【００３５】
【図１】本発明に係る除電器の上面図である。
【図２】（ａ）第１の実施形態に係る電極針組立体の分解斜視図であり、（ｂ）組立斜視図である。
【図３】（ａ）図２（ｂ）の構成の側面図であり、（ｂ）（ａ）において固定ネジを緩めた状態を示す図である。
【図４】（ａ）第２の実施形態に係る電極針組立体の分解斜視図であり、（ｂ）組立斜視図である。
【図５】（ａ）第３の実施形態に係る電極針組立体の分解斜視図であり、（ｂ）組立上面図である。
【図６】（ａ）第４の実施形態に係る電極針組立体の分解斜視図であり、（ｂ）組立斜視図である。
【符号の説明】
【００３６】
１    除電器
２    筺体
３    ファン
４ａ〜４ｄ    電極針組立体
４１、４２    電極針
４３    ベース部材
４４    保持部材
４５    固定部材
【図１】
2010027292.tif 000003
【図２】
2010027292.tif 000004
【図３】
2010027292.tif 000005
【図４】
2010027292.tif 000006
【図５】
2010027292.tif 000007
【図６】
2010027292.tif 000008